(57)【特許請求の範囲】
【請求項１】
アンテナを介して電磁結合されたＩＣカードからの信号を受信する受信手段と、前記受信手段から出力される受信信号のレベルとしきい値とを比較して比較結果を受信データとして出力する比較手段とを備えた非接触ＩＣカードリーダ装置において、
前記比較手段から出力される受信データのパルスの数を計数する計数手段と、
前記計数手段の計数値が予め定めた設定値と一致するか否かを判定する判定手段と、
前記判定手段が前記計数値と設定値との不一致を判定した場合は前記比較手段のしきい値を調整するしきい値調整手段と、
前記ＩＣカードに対し周期的にデータを送信する送信手段と
を備え、前記受信手段は、前記送信手段からの送信データに対して前記ＩＣカードから返送されるデータ送信の開始を示す所定のパルス数のスタートビットを受信すると前記受信信号として出力することを特徴とする非接触ＩＣカードリーダ装置。
【請求項２】
アンテナを介して電磁結合されたＩＣカードからの信号を受信する受信手段と、前記受信手段から出力される受信信号のレベルとしきい値とを比較して比較結果を受信データとして出力する比較手段とを備えた非接触ＩＣカードリーダ装置において、
前記比較手段から出力される受信データのパルスの数を計数する計数手段と、
前記計数手段の計数値が予め定めた設定値と一致するか否かを判定する判定手段と、
前記判定手段が前記計数値と設定値との不一致を判定した場合は前記比較手段のしきい値を調整するしきい値調整手段と
を備え、前記比較手段は、前記しきい値調整手段により調整されたしきい値と前記受信手段から出力される次の周期の受信信号のレベルとを比較し、比較データを前記受信データとして出力することを特徴とする非接触ＩＣカードリーダ装置。
【発明の詳細な説明】
【０００１】
【発明の属する技術分野】
本発明は、非接触型ＩＣカードに対しデータの読み出し及び書き込みを行う非接触ＩＣカードリーダ装置に関する。
【０００２】
【従来の技術】
この種の非接触ＩＣカードリーダ装置（以下、ＩＣカードリーダという）は、アンテナを介してＩＣカードと接続される。ＩＣカードリーダは、ＩＣカードとの間の電磁結合の有無を検出するために、アンテナを介して定期的にＩＣカード側にデータを送信している。ここで、ＩＣカードがＩＣカードリーダのアンテナに近接すると、ＩＣカードはＩＣカードリーダのアンテナと電磁結合してＩＣカードリーダからのデータを受信する。ＩＣカードリーダからのデータを受信すると、ＩＣカードは、一定時間後にデータの送信開始を示す所定のパルス数からなるスタートビットを変調し自身のアンテナからＩＣカードリーダ側に返送する。ＩＣカードリーダではこのスタートビットを受信することにより、ＩＣカードが自身に電磁結合されたことを認識し、以降そのＩＣカードとの間で通信を行ってＩＣカードに記憶されているデータの読み出し、及びＩＣカードへのデータの書き込みを行うようにしている。
【０００３】
【発明が解決しようとする課題】
ところで、ＩＣカードリーダの受信部には、アンテナを介して受信した受信信号を増幅する増幅器、及び増幅器の出力を入力して予め定めたしきい値と比較しその比較結果を出力する比較器が設けられているが、ＩＣカードとの間の距離が近い場合、または遠い場合はＩＣカードリーダ側でＩＣカードからのデータが的確に受信できないという問題がある。
【０００４】
即ち、ＩＣカードとの間の距離が近い場合は、ＩＣカードから送信されアンテナで受信した受信信号（データが搬送波に重畳された受信信号）中のデータ信号のレベルは図６（ａ）のように大きく、したがってその受信信号の中から取り出されて増幅され比較器に入力されるデータ信号のレベルも図６（ｂ）のように大きくなる。このように入力信号のレベルが大きい場合、比較器では図６（ｃ）のように８個のパルスをスタートビットとして出力する。このスタートビットは本来は４個のパルスで構成されていることから、カードリーダ側ではスタートビットの受信エラーとなり、以降、そのＩＣカードに対するデータの読み出しや書き込みができなくなるという問題を生じている。
【０００５】
また、ＩＣカードとの間の距離が遠い場合は、アンテナからの受信信号のレベルは図７（ａ）のように小さく、したがってその受信信号の中から取り出されて増幅され比較器に入力されるデータ信号のレベルも図７（ｂ）のように小さくなる。このように入力信号のレベルが小さい場合、比較器では、本来は４個のパルスのスタートビットを、図７（ｃ）のように３個のパルスとして出力する。この結果、カードリーダ側では同様にスタートビットの受信エラーとなり、以降、そのＩＣカードに対するデータの読み出しや書き込みができなくなる。
本発明は以上のような問題に鑑みてなされたものであり、その目的とするところは、ＩＣカードとの間の距離に無関係に、ＩＣカードからのデータを的確に受信可能にすることにある。
【０００６】
【課題を解決するための手段】
このような課題を解決するために本発明は、アンテナを介して電磁結合されたＩＣカードからの信号を受信する受信手段と、受信手段から出力される受信信号のレベルとしきい値とを比較して比較結果を受信データとして出力する比較手段とからなる非接触ＩＣカードリーダ装置であって、比較手段から出力される受信データのパルスの数を計数する計数手段と、計数手段の計数値が予め定めた設定値と一致するか否かを判定する判定手段と、判定手段により計数値と設定値との不一致が判定された場合は比較手段のしきい値を調整するしきい値調整手段と、ＩＣカードに対し周期的にデータを送信する送信手段とを設け、受信手段は、送信手段からの送信データに対してＩＣカードから返送される所定のパルス数のスタートビットを受信信号として比較手段に出力するものである。
また、比較手段は、しきい値調整手段により調整されたしきい値と受信手段から出力される次の周期の受信信号のレベルとを比較し、比較データを受信データとして出力するものである。
【０００７】
【発明の実施の形態】
以下、本発明について図面を参照して説明する。
図１は本発明に係るＩＣカードリーダのブロック図である。このＩＣカードリーダ１は、電磁結合されたＩＣカード２に対しデータのリード・ライトを行うものであり、ＣＰＵ１１と、ゲートアレイ１２と、ＩＣカード２にデータを送信する送信部１３と、ＩＣカードからのデータを受信する受信部１６と、ＩＣカード２の図示しないアンテナと電磁結合するアンテナ部１５と、ＩＣカード２側とアンテナ部１５との間で最適な電磁結合が行われるように整合をとる整合回路１４とが設けられている。
【０００８】
ＩＣカードリーダ１のＣＰＵ１１は、ＩＣカード２との間の電磁結合の有無を検出するために、周期的にＩＣカード側にポーリングデータを送信している。この送信データはゲートアレイ１２を介して送信部１３へ送られ、送信部１３で変調されて整合回路１４及びアンテナ部１５を介しＩＣカード２側へ無線信号として送信される。
【０００９】
ここで、ＩＣカード２がＩＣカードリーダ１のアンテナ部１５に近接すると、ＩＣカード２の図示しないアンテナとカードリーダ１のアンテナ部１５とが電磁結合する。この結果、ＩＣカードリーダ１のアンテナ部１５から送信される無線信号による送信データがＩＣカード２側で受信される。
【００１０】
ＩＣカード２側ではＩＣカードリーダ１からの送信データを受信すると、一定時間後にデータの送信開始を示す所定のパルス数からなるスタートビットを変調して自身のアンテナからＩＣカードリーダ側に無線信号として返送する。このＩＣカード２からの無線信号による送信データは、アンテナ部１５及び整合回路１４を介して受信部１６で受信され復調される。受信部１６で復調された復調データはゲートアレイ１２を介してＣＰＵ１１に送られる。
【００１１】
ＩＣカードリーダ１のＣＰＵ１１はこの復調データ（即ち、ＩＣカード２からのスタートビット）を受信することにより、ＩＣカード２がＩＣカードリーダ１と電磁結合されたことを認識する。そして、ＩＣカード２との間の電磁結合を認識するとＩＣカードリーダ１のＣＰＵ１１は、その電磁結合したＩＣカード２との間でデータ通信を行ってＩＣカード２内の図示しないメモリに記憶されているデータの読み出しや、ＩＣカード２のメモリへのデータの書き込みを行う。
【００１２】
図２はＩＣカードリーダ１の受信部１６の構成を示すブロック図である。受信部１６は、図２に示すように、アンテナ部１５及び整合回路１４を介するＩＣカード２側からの高周波の変調信号（搬送波にデータが重畳された信号）ａの中からスタートビット等のデータに相当する低周波の信号を取り出すローパスフィルタ２１と、ローパスフィルタ２１の低周波信号を増幅する増幅器２２と、増幅器２２の増幅信号ｂを入力してしきい値レベルと比較し、例えばしきい値レベル以上の増幅信号ｂをデータ信号ｃとしてゲートアレイ１２を介しＣＰＵ１１側へ出力する比較器２３と、ゲートアレイ１２からのしきい値レベル変更信号ｄを入力すると比較器２３にしきい値レベル設定信号ｅを出力して比較器２３のしきい値レベルを設定するしきい値レベル調整部２４とからなる。
【００１３】
即ち、ＩＣカードリーダ１の受信部１６において、アンテナ部１５及び整合回路１４を介しＩＣカード２側からの高周波の変調信号を受信すると、受信部１６のローパスフィルタ２１は、この変調信号ａの中からスタートビット等のデータに相当する低周波信号を取り出して増幅器２２に送出する。増幅器２２ではこの低周波信号を増幅して比較器２３の入力信号ｂとして出力する。比較器２３ではこの入力信号ｂを入力すると、自身に設定されているしきい値レベルと比較し、しきい値レベル以上の入力信号ｂをデータ信号ｃとしてゲートアレイ１２を介しＣＰＵ１１側へ出力する。
【００１４】
ゲートアレイ１２は、ＩＣカード２側とのデータ通信の開始を示す上述のスタートビットを前記データ信号ｃとして受信すると、このデータ信号ｃのパルス数を計数してこのスタートビットが予め定めた４個のパルスから構成されているか否かを判断する。
ここで、スタートビットが４個のパルスから構成され正常に受信されたものと判断したゲートアレイ１２からの信号に基づきＣＰＵ１１は、以降、そのＩＣカード２との間でデータ通信を行ってＩＣカード２のメモリに記憶されているデータの読み出しや、ＩＣカード２のメモリへのデータの書き込みを行う。
【００１５】
図３は、ＩＣカード２からのスタートビットが正常に受信された場合の例を示し、図３（ａ）はアンテナ部１５で受信され整合回路１４を介してローパスフィルタ２１に入力された変調信号ａの波形、図３（ｂ）は増幅器２２により増幅され比較器２３への入力となる信号ｂの波形、図３（ｃ）は比較器２３からゲートアレイ１２側に出力されるデータ（スタートビット）信号ｃの波形である。
図３の例は、ＩＣカードリーダ１のアンテナ部１５とＩＣカード２とが適切な距離にある場合の波形であり、比較器２３では自身に設定されているしきい値レベルに基づき図３（ｃ）のような正規な４個のパルスをスタートビットとしてゲートアレイ１２側へ送出する。このような場合、ゲートアレイ１２ではそのパルス数を計数し、その計数値が予め定めた４個になっていることから、比較器２３のしきい値レベルは適正なレベルと判断し比較器２３のしきい値レベルの調整は行わない。
【００１６】
（第１の実施の形態）
次に、ＩＣカードリーダ１のアンテナ部１５とＩＣカード２間が適切な距離にない場合の第１の実施の形態について説明する。
ＩＣカードリーダ１のアンテナ部１５とＩＣカード２との距離が適切な距離になく両者の距離が近い場合は、図６（ａ）に示すように変調信号ａ中のスタートビット信号のレベルが大きくなり、したがってこれが増幅器２２により増幅され比較器２３に入力される入力信号ｂのレベルも図６（ｂ）のように大きくなる。
このような場合、比較器２３では、上述した図３に示すようなＩＣカード２との距離が適切な距離にあるときのしきい値レベルに基づき、そのしきい値レベル以上の入力信号ｂをスタートビット信号ｃとしてゲートアレイ１２側へ出力する。したがって、この場合、ゲートアレイ１２側には図６（ｃ）に示すようになスタートビットが８個のパルスとして出力される。
【００１７】
ゲートアレイ１２は、ＩＣカード２側からのスタートビットを受信すると、同様にそのパルス数を計数してこのスタートビットが予め定めた４個のパルスから構成されているか否かを判断する。
この例ではゲートアレイ１２は８個のパルスを計数しているため、ＩＣカード２側からの受信信号のレベルが大きいと判断してその受信信号のレベルに応じたしきい値レベル変更信号ｄをしきい値レベル調整部２４に出力する。また、このときゲートアレイ１２は、受信エラーと判断する。
【００１８】
しきい値レベル調整部２４ではゲートアレイ１２からのしきい値レベル変更信号ｄを入力すると、その変更信号ｄに含まれるしきい値設定信号ｅを比較器２３に出力して比較器２３のしきい値レベルを新たなしきい値レベルに設定する。
その後、ＩＣカードリーダ１では次の周期でポーリングデータをそのＩＣカードに送信することになるが、ＩＣカード２との距離は前回のポーリング時と変わらないため、そのポーリングデータに対してＩＣカード２から返送されるスタートビットの受信波形（今回のスタートビットの受信波形）は、前回のポーリング時と同様、図４（ａ）のようにそのレベルは大きく、また増幅器２２の増幅波形も図４（ｂ）のように大きい。
【００１９】
しかし、比較器２３ではしきい値レベルが前回ポーリング時より高いレベルに設定されているため、比較器２３では入力したスタートビットの波形を新たなしきい値レベルと比較して図４（ｃ）に示すように正規な４個のパルスとしてゲートアレイ１２側に出力することができる。この結果、ゲートアレイ１２からＣＰＵ１１に正規な４個のパルス信号が出力されることから、ＣＰＵ１１ではスタートビットとして認識することができ、したがって以降、そのＩＣカード２とデータの通信を行い、ＩＣカードからのデータの読み出しやＩＣカードへのデータの書き込みを行う。なお、ＩＣカード２からのデータの読み出しの際には比較器２３ではこの読出データである受信データを新たに設定されたしきい値レベルにしたがって比較し、その比較結果をゲートアレイ１２を介してＣＰＵ１１側に出力する。
【００２０】
一方、ＩＣカードリーダ１のアンテナ部１５とＩＣカード２との距離が遠い場合は、図７（ａ）に示すようにスタートビット受信信号ａのレベルが小さくなり、したがってこれが増幅器２２により増幅されてもその増幅信号ｂのレベルは図７（ｂ）のように小さくなる。
このような場合、比較器２３では、ＩＣカード２との距離が適切な距離にあるときのしきい値レベルに基づき、そのしきい値レベル以上の入力信号ｂをスタートビット信号ｃとしてゲートアレイ１２側へ出力する。したがって、この場合、ゲートアレイ１２側には図７（ｃ）に示すようにスタートビットが３個のパルスとして出力される。
【００２１】
ゲートアレイ１２は、ＩＣカード２側からのスタートビットを受信すると、同様にそのパルス数を計数してこのスタートビットが予め定めた４個のパルスから構成されているか否かを判断する。
この例ではゲートアレイ１２は３個のパルスを計数しているため、ＩＣカード２側からの受信信号のレベルが小さいと判断してその受信信号のレベルに応じたしきい値変更信号ｄをしきい値レベル調整部２４に出力する。また、このときゲートアレイ１２は、受信エラーと判断する。
【００２２】
しきい値レベル調整部２４ではゲートアレイ１２からのしきい値変更信号ｄを入力すると、その変更信号ｄに含まれるしきい値設定信号ｅを比較器２３に出力して比較器２３のしきい値レベルを新たなしきい値レベルに設定する。
その後、ＩＣカードリーダ１では次の周期でポーリングデータをそのＩＣカードに送信することになるが、ＩＣカード２との距離は前回ポーリング時と変わらず遠い距離であるため、そのＩＣカード２から返送されるスタートビットの受信波形（今回のスタートビットの受信波形）は、前回ポーリング時と同様、図５（ａ）のようにそのレベルは小さく、また増幅器２２の増幅波形も図５（ｂ）のように小さい。
【００２３】
しかし、比較器２３ではしきい値レベルが前回ポーリング時より低いレベルに設定されているため、比較器２３では入力したスタートビットの波形を新たなしきい値レベルと比較して図５（ｃ）に示すように正規な４個のパルスとしてゲートアレイ１２側に出力する。これにより、ＣＰＵ１１では正規なスタートビットとして認識することができ、したがって以降、そのＩＣカード２とデータの通信を行い、ＩＣカードからのデータの読み出しやＩＣカードへのデータの書き込みを行う。なお、データの読み出しの際には比較器２３では読出データである受信データを新たに設定されたしきい値レベルにしたがって比較しその比較結果をゲートアレイ１２を介しＣＰＵ１１側に出力する。
【００２４】
ゲートアレイ１２では、上述したように、入力したスタートビットのパルス数を計数してその計数値が所定数（４個）か否かを判定し、そのパルス数が所定数より多い場合は比較器２３のしきい値レベルを高くするように、また、計数したパルス数が所定数より少ない場合は比較器２３のしきい値を低くするようにしきい値レベル調整部２４に指示している。こうしたスタートビットの入力パルスの個数と比較器２３のしきい値レベルとの関係は、実際にはゲートアレイ１２に内蔵した図示しないメモリにテーブルとして記憶されており、ゲートアレイ１２はこのテーブルにしたがって計数したパルス数に応じたしきい値レベルをしきい値レベル調整部２４に伝達し、しきい値レベル調整部２４により比較器２３に設定させる。
【００２５】
（第２の実施の形態）
次に、ＩＣカードリーダ１のアンテナ部１５とＩＣカード２間が適切な距離にない場合の第２の実施の形態について説明する。
ＩＣカードリーダ１のアンテナ部１５とＩＣカード２との距離が適切な距離になく両者の距離が近い場合は、比較器２３では、上述した図３に示すようなＩＣカード２との距離が適切な距離にあるときのしきい値レベルに基づき、そのしきい値レベル以上の入力信号ｂをスタートビット信号ｃとしてゲートアレイ１２側へ出力する。したがって、この場合、ゲートアレイ１２側には図６（ｃ）に示すようになスタートビットが８個のパルスとして出力される。
【００２６】
ゲートアレイ１２は、ＩＣカード２側からのスタートビットを受信すると、同様にそのパルス数を計数してこのスタートビットが４個のパルスから構成されているか否かを判断し、この例では８個のパルスであるため、ＩＣカード２側からの受信信号のレベルが大きいと判断してその受信信号のレベルに応じたしきい値レベル変更信号ｄをしきい値レベル調整部２４に出力する。しきい値レベル調整部２４では、そのしきい値変更信号ｄに含まれるしきい値設定信号ｅを比較器２３に出力して比較器２３のしきい値レベルを新たなしきい値レベルに設定する。
【００２７】
比較器２３では、ＩＣカード２側から送信される前記スタートビットに続くデータ信号を入力すると、そのデータ信号を前記スタートビットの受信時より高いレベルに設定されている新たなしきい値と比較しその比較結果をゲートアレイ１２側に出力する。これにより、ゲートアレイ１２では、ＩＣカード２からのスタートビットに続くデータ信号を正規なデータ信号として入力してＣＰＵ１１に送出することができる。
このように、ゲートアレイ１２では、ＩＣカード２からのスタートビットのパルス数が正規なパルス数より多い場合は比較器２３のしきい値レベルを高レベルに調整してそのスタートビットに続くデータ信号を新たなしきい値で比較させることにより、正規なデータ信号として受信可能にしたものである。この結果、ＩＣカード側からのデータを受信する場合、第１の実施の形態に比べ素早くデータが受信できる。
【００２８】
一方、ＩＣカードリーダ１のアンテナ部１５とＩＣカード２との距離が遠い場合についても、比較器２３では、同様に図３に示すようなＩＣカード２との距離が適切な距離にあるときのしきい値レベルに基づき、そのしきい値レベル以上の入力信号ｂをスタートビット信号ｃとしてゲートアレイ１２側へ出力する。したがって、この場合、ゲートアレイ１２側には図７（ｃ）に示すようになスタートビットが３個のパルスとして出力される。
【００２９】
ゲートアレイ１２は、ＩＣカード２側からのスタートビットを受信すると、同様にそのパルス数を計数してこのスタートビットが４個のパルスから構成されているか否かを判断し、この例では３個のパルスであるため、ＩＣカード２側からの受信信号のレベルが小さいと判断してその受信信号のレベルに応じたしきい値レベル変更信号ｄをしきい値レベル調整部２４に出力する。しきい値レベル調整部２４では、そのしきい値変更信号ｄに含まれるしきい値設定信号ｅを比較器２３に出力して比較器２３のしきい値レベルを新たなしきい値レベルに設定する。
【００３０】
比較器２３では、ＩＣカード２側から送信される前記スタートビットに続くデータ信号を入力すると、そのデータ信号を前記スタートビットの受信時より低いレベルに設定されている新たなしきい値と比較しその比較結果をゲートアレイ１２側に出力する。これにより、ゲートアレイ１２では、ＩＣカード２からのスタートビットに続くデータ信号を正規なデータ信号として入力しＣＰＵ１１に送出することができる。
このように、ゲートアレイ１２では、ＩＣカード２からのスタートビットのパルス数が正規なパルス数より少ない場合は比較器２３のしきい値レベルを低レベルに調整してそのスタートビットに続くデータ信号を新たなしきい値で比較させることにより、正規なデータ信号として受信可能にしたものである。この結果、ＩＣカード側からのデータを受信する場合、第１の実施の形態に比べ素早くデータが受信できる。
【００３１】
このように、ＩＣカード２からの受信波形のレベルの大小（スタートビットのパルス数の多少）を判断し、受信波形の検出感度（しきい値レベル）を変えるようにしたものである。この結果、ＩＣカードリーダ１とＩＣカード２との間の距離が近い場合でも、また遠い場合でも常にＩＣカード２からのデータを最適な感度で受信することができ、したがって通信性能が向上する。
なお、本実施の形態では、受信手段（受信部１６）に比較手段（比較器２３）を設けているが、受信手段と比較手段をそれぞれ独立して備えるようにしても良い。
また、本実施の形態ではゲートアレイ１２を設け、ゲートアレイ１２にスタートビットのパルス数の計数及びその計数値に基づく比較器２３のしきい値調整機能を持たせたが、このゲートアレイ１２の機能をＣＰＵ１１に持たせることも可能である。これにより、ゲートアレイを不要にできる。
【００３２】
【発明の効果】
以上説明したように本発明によれば、アンテナを介して電磁結合されたＩＣカードからの信号を受信する受信手段と、受信手段から出力される受信信号のレベルとしきい値とを比較して比較結果を受信データとして出力する比較手段とからなる非接触ＩＣカードリーダ装置において、比較手段から出力される受信データのパルスの数を計数し、その計数値が予め定めた設定値と一致するか否かを判定するとともに、計数値と設定値との不一致が判定された場合は比較手段のしきい値（感度）を変えるようにしたので、カードリーダとＩＣカードとの間の距離が近い場合でも、また遠い場合でも常にＩＣカードからのデータを最適な感度で受信することができ、したがってＩＣカードからのデータを的確に受信できる。
また、計数値が設定値より多いか少ないかに応じて比較手段のしきい値レベルの高低を変えるようにしたので、簡単な構成により比較手段のしきい値を調整できる。
また、計数値が予め定めた設定値と一致する場合は、しきい値の調整は行わないようにしたので、しきい値の無用な調整を阻止できる。
また、ＩＣカードに対し周期的にデータを送信する送信手段を設け、受信手段は、送信手段からの送信データに対してＩＣカードから返送される所定のパルス数のスタートビットを受信信号として比較手段に出力するようにしたので、データ通信の開始に先立ってしきい値を最適なしきい値に調整でき、したがって以降のデータ通信を的確に行うことができる。
また、比較手段は、しきい値調整手段により調整されたしきい値と受信手段から出力される次の周期の受信信号のレベルとを比較し、比較データを受信データとして出力するようにしたので、次の周期のデータから的確な受信を行うこＴができる。
また、受信手段は、ＩＣカードから送信されるスタートビット及びこのスタートビットに続くデータ信号を受信すると受信信号として比較手段に出力し、比較手段は、スタートビットのパルス数と設定値との不一致に基づいてしきい値調整手段により調整された新たなしきい値と、データ信号のレベルとを比較して比較結果を受信データとして出力するようにしたので、ＩＣカード側からの送信データを素早く受信できる。
【図面の簡単な説明】
【図１】本発明に係る非接触ＩＣカードリーダ装置のブロック図である。
【図２】上記ＩＣカードリーダの受信部の構成を示すブロック図である。
【図３】受信部における受信波形の第１の再生例を示す波形図である。
【図４】受信部における受信波形の第２の再生例を示す波形図である。
【図５】受信部における受信波形の第３の再生例を示す波形図である。
【図６】従来のＩＣカードリーダの受信波形の再生例を示す波形図である。
【図７】従来のＩＣカードリーダの受信波形の他の再生例を示す波形図である。
【符号の説明】
１…非接触ＩＣカードリーダ装置、２…ＩＣカード、１１…ＣＰＵ、１２…ゲートアレイ、１３…送信部、１４…整合回路、１５…アンテナ部、１６…受信部、２１…ローパスフィルタ、２２…増幅器、２３…比較器、２４…しきい値レベル調整部。
【図１】
0003589092.tif 000002
【図２】
0003589092.tif 000003
【図３】
0003589092.tif 000004
【図４】
0003589092.tif 000005
【図５】
0003589092.tif 000006
【図６】
0003589092.tif 000007
【図７】
0003589092.tif 000008